(57)【要約】【課題】多くのソース機器が接続されている場合、および、多種類のコンテンツを記憶しているソース機器が接続されている場合でも、所望のコンテンツを容易に探すことができるＡＶコンテンツ再生装置を提供する。【解決手段】まず、ユーザによるコンテンツの種類の選択を受け付ける。次に、ユーザによるソース機器の選択を、選択された種類のコンテンツを再生可能なソース機器のなかから受け付ける。次に、ユーザによる再生コンテンツの選択を、選択されたソース機器が再生可能なコンテンツのうち、先に選択された種類のコンテンツのなかから受け付ける。【選択図】図１
2010278578.tif 000002
【特許請求の範囲】
【請求項１】
ユーザによる視聴態様がそれぞれ異なる複数種類のコンテンツの全部または一部を再生可能なコンテンツ再生部、または、ユーザによる視聴態様がそれぞれ異なる複数種類のコンテンツの全部または一部を記憶しているコンテンツ記憶部、を有するソース機器が接続される複数の接続部と、
前記複数の接続部に接続される各ソース機器が再生可能なコンテンツの視聴態様または記憶しているコンテンツの視聴態様を記憶する視聴態様テーブルと、
ユーザによる視聴態様の選択を受け付ける視聴態様選択部と、
前記視聴態様選択部によって選択された視聴態様のコンテンツを再生可能または記憶しているソース機器を、前記視聴態様テーブルに基づいて抽出するソース機器抽出部と、
ユーザによるソース機器の選択を、前記ソース機器抽出部によって抽出されたソース機器のなかから受け付けるソース機器選択部と、
前記ソース機器選択部によって選択されたソース機器が再生可能なコンテンツ、または、前記ソース機器選択部によって選択されたソース機器が記憶しているコンテンツを、その視聴態様で出力するコンテンツ再生部と、
を備えたＡＶコンテンツ再生装置。
【請求項２】
前記コンテンツ再生部は、
前記ソース機器選択部によって選択されたソース機器が再生可能または記憶しているコンテンツのうち、前記視聴態様選択部によって選択された視聴態様のコンテンツのみを抽出するコンテンツ抽出部と、
ユーザによるコンテンツの選択を、前記コンテンツ抽出部によって抽出されたコンテンツのなかから受け付けるコンテンツ選択部と、
を含む、請求項１に記載のＡＶコンテンツ再生装置。
【請求項３】
ユーザによる視聴態様がそれぞれ異なる複数種類のコンテンツの全部または一部を再生可能なコンテンツ再生部、または、ユーザによる視聴態様がそれぞれ異なる複数種類のコンテンツの全部または一部を記憶しているコンテンツ記憶部、を有するソース機器が接続される複数の接続部と、
ユーザによる視聴態様の選択を受け付ける視聴態様選択部と、
前記ソース機器が再生可能または記憶しているコンテンツのうち、前記視聴態様選択部によって選択された視聴態様のコンテンツのみを抽出するコンテンツ抽出部と、
ユーザによるコンテンツの選択を、前記コンテンツ抽出部によって抽出されたコンテンツのなかから受け付けるコンテンツ選択部と、
前記コンテンツ選択部によって選択されたコンテンツを、その視聴態様で出力するコンテンツ再生部と、
を備えたＡＶコンテンツ再生装置。
【発明の詳細な説明】
【技術分野】
【０００１】
この発明は、接続されたソース機器のコンテンツを再生するＡＶコンテンツ再生装置に関する。
【背景技術】
【０００２】
複数のＡＶ（オーディオ・ビデオ）機器を自由に組み合わせてＡＶシステムを構成するカスタム・インストレーションが広く行われている。カスタム・インストレーションにおいて、複数のソース機器を接続して多様なオーディオ・ビデオコンテンツの中から所望のものを自由に選択して再生するためにＡＶレシーバが用いられる（例えば非特許文献１）。
【０００３】
近年のＡＶレシーバは、ソース機器として、従来より一般的なＳＴＢ（セット・トップ・ボックス）、ＤＶＤプレーヤ、ＶＣＲ（ビデオ・カセット・レコーダ）デッキ等が接続されるほか、ｉＰｏｄ（登録商標）、ＵＳＢメモリ、パーソナルコンピュータ（ＨＤＤ）などの多種類のコンテンツを多数記憶することができる記憶装置がソース機器として接続可能になってきている。
【先行技術文献】
【非特許文献】
【０００４】
【非特許文献１】Yamaha Corporation of America、“RX-V / RX-Z / RX-N Series, AV Receivers from Yamaha Electronics”、［online］、平成２１年、Yamaha Corporation of America、［平成２１年５月１５日検索］、インターネット＜URL：http://www.yamaha.com/yec/products/productdetail.html?CNTID=558249&CTID=5000300＞
【発明の概要】
【発明が解決しようとする課題】
【０００５】
上記従来のソース機器は、それほど多機能なものではなく、それぞれ再生可能なコンテンツの種類が決まっていた。たとえば、ＳＴＢはテレビ放送（ビデオコンテンツ）、ＤＶＤプレーヤはＤＶＤ再生（ビデオコンテンツ）またはＣＤ再生（オーディオコンテンツ）、ＶＣＲはビデオカセット再生（ビデオコンテンツ）などである。一方、上記新たな種類のソース機器は、多くの種類のコンテンツを自由に記憶することができるものであり、オーディオコンテンツ、ビデオコンテンツまたは写真のアルバム等のコンテンツが一緒に記憶されている場合が多い。このため、従来は、新たな種類のソース機器のコンテンツを再生する場合、複数種類のコンテンツが混在しているなかから所望のものを探さなければならず、探すのが面倒であった。
【０００６】
また、近年のＡＶレシーバは、上記のように非常に他種類のソース機器を接続することができるため、特定種類のコンテンツ（例えばビデオコンテンツ）を再生したい場合にどのソース機器を選択すればよいか分かりにくいという問題点が生じていた。
【０００７】
この発明は、多くのソース機器が接続されている場合、および、多種類のコンテンツを記憶しているソース機器が接続されている場合でも、所望のコンテンツを容易に探すことができるＡＶコンテンツ再生装置を提供することを目的とする。
【課題を解決するための手段】
【０００８】
請求項１の発明は、ユーザによる視聴態様がそれぞれ異なる複数種類のコンテンツの全部または一部を再生可能なコンテンツ再生部、または、ユーザによる視聴態様がそれぞれ異なる複数種類のコンテンツの全部または一部を記憶しているコンテンツ記憶部、を有するソース機器が接続される複数の接続部と、前記複数の接続部に接続される各ソース機器が再生可能なコンテンツの視聴態様または記憶しているコンテンツの視聴態様を記憶する視聴態様テーブルと、ユーザによる視聴態様の選択を受け付ける視聴態様選択部と、前記視聴態様選択部によって選択された視聴態様のコンテンツを再生可能または記憶しているソース機器を、前記視聴態様テーブルに基づいて抽出するソース機器抽出部と、ユーザによるソース機器の選択を、前記ソース機器抽出部によって抽出されたソース機器のなかから受け付けるソース機器選択部と、前記ソース機器選択部によって選択されたソース機器が再生可能なコンテンツ、または、前記ソース機器選択部によって選択されたソース機器が記憶しているコンテンツを、その視聴態様で出力するコンテンツ再生部と、を備えたことを特徴とする。
【０００９】
請求項２の発明は、請求項１の発明において、前記コンテンツ再生部は、前記ソース機器選択部によって選択されたソース機器が再生可能または記憶しているコンテンツのうち、前記視聴態様選択部によって選択された視聴態様のコンテンツのみを抽出するコンテンツ抽出部と、ユーザによるコンテンツの選択を、前記コンテンツ抽出部によって抽出されたコンテンツのなかから受け付けるコンテンツ選択部と、を含むことを特徴とする。
【００１０】
請求項３の発明は、ユーザによる視聴態様がそれぞれ異なる複数種類のコンテンツの全部または一部を再生可能なコンテンツ再生部、または、ユーザによる視聴態様がそれぞれ異なる複数種類のコンテンツの全部または一部を記憶しているコンテンツ記憶部、を有するソース機器が接続される複数の接続部と、ユーザによる視聴態様の選択を受け付ける視聴態様選択部と、前記ソース機器が再生可能または記憶しているコンテンツのうち、前記視聴態様選択部によって選択された視聴態様のコンテンツのみを抽出するコンテンツ抽出部と、ユーザによるコンテンツの選択を、前記コンテンツ抽出部によって抽出されたコンテンツのなかから受け付けるコンテンツ選択部と、前記コンテンツ選択部によって選択されたコンテンツを、その視聴態様で出力するコンテンツ再生部と、を備えたことを特徴とする。
【発明の効果】
【００１１】
この発明によれば、ＡＶコンテンツ再生装置に多くのソース機器が接続された場合でも、ユーザがソース機器の選択を迷うことがなくなる。
【００１２】
また、ＡＶコンテンツ再生装置に多種類のコンテンツを記憶しているソース機器が接続された場合でも、ユーザが視聴態様に基づいて容易に所望のコンテンツを探すことができるようになる。
【図面の簡単な説明】
【００１３】
【図１】この発明の実施形態であるＡＶレシーバを含むＡＶシステムの構成図
【図２】前記ＡＶレシーバのブロック図
【図３】前記ＡＶレシーバに記憶されているアクティビティテーブルを示す図
【図４】前記ＡＶレシーバの動作を示すフローチャート
【図５】前記ＡＶレシーバがＴＶに表示する画面の例を示す図
【発明を実施するための形態】
【００１４】
図１は、この発明の実施形態であるＡＶレシーバ１を含むＡＶシステムの構成図である。このＡＶシステムは、ＡＶレシーバ１に、複数のソース機器２、ＴＶ（モニタ）３、スピーカ４が接続されたいわゆるカスタムインストレーションのＡＶシステムである。
【００１５】
ＡＶレシーバ１は、複数のソース機器２から１つを選択するセレクタ機能、選択されたソース機器２から入力される音声信号を増幅してスピーカに出力するオーディオアンプ機能、ソース機器２から入力される映像信号およびオーディオ信号を下流側のＴＶ３に出力するレピータ機能、ＦＭ放送などのラジオ放送を受信するチューナ機能、ユーザの操作に応じてソース機器２、ＴＶ３を制御するコマンダ機能等を有している。
【００１６】
ＡＶレシーバ１に上流側装置として接続されるソース機器２としては、たとえば、ＳＴＢ（セット・トップ・ボックス）２１、ＤＶＤプレーヤ２２、ＶＣＲ（ビデオ・カセット・レコーダ）２３、パーソナルコンピュータ（ＰＣ）２４、ＵＳＢメモリ２５、ｉＰｏｄ（登録商標）２６等がある。ＳＴＢ２１は、ケーブルまたは衛星から受信したテレビ放送を再生する再生部を有している。ＤＶＤプレーヤ２２は、セットされたディスクを再生する再生部を有している。ＶＣＲ２３は、セットされたビデオカセットを再生する再生部を有している。ＰＣ２４は、オーディオコンテンツやビデオコンテンツ等を記憶する記憶部（ＨＤＤ）を有しているとともに、これらコンテンツを再生する再生機能も有している。ＵＳＢメモリ２５は、オーディオコンテンツ等のコンテンツを記憶する記憶部を有している。また、ｉＰｏｄ２６は、オーディオコンテンツやビデオコンテンツ等を記憶する記憶部（ＨＤＤやフラッシュメモリ）を有しているとともに、これらコンテンツを再生する再生機能も有している。
【００１７】
また、ＡＶレシーバ１の下流側装置として接続されるＴＶ３は、主として、ＡＶレシーバ１から入力される映像を表示するためのモニタとして使用される。
【００１８】
また、ＡＶレシーバ１は、リモコン５が発生した赤外線のリモコン信号を受信するためのリモコン信号受信部１２を有している。
【００１９】
図２は、ＡＶレシーバ１のブロック図である。  
ＡＶレシーバ１（の背面）には、上記複数のソース機器２を接続するための各種コネクタが設けられている。ＳＴＢ２１を接続するためのＨＤＭＩコネクタ４１、ＤＶＤプレイヤ２２を接続するためのＨＤＭＩコネクタ４２、ＶＣＲ２３を接続するためのアナログコネクタ４３、ＰＣ２４と通信するためのＬＡＮコネクタ４４、ＵＳＢメモリ２５を接続するためのＵＳＢコネクタ４５、ｉＰｏｄ２６を接続するためのベイ型コネクタ４６を備えている。ｉＰｏｄ２６用のベイ型コネクタ４６はケーブルを介して外付けで設けられる。なお、各コネクタはトランシーバ等の物理層の回路を含むものとする。
【００２０】
ＨＤＭＩコネクタ４１、４２はセレクタ１４に接続され、アナログコネクタ４２は、Ａ／Ｄコンバータ１７を介してセレクタ１４に接続され、ＬＡＮコネクタ４４、ＵＳＢコネクタ４５、専用ベイ４６は、周辺機器インタフェース１６を介してセレクタ１４に接続されている。また、セレクタ１４には、内蔵のソース機器として、チューナ１８、制御部１０も接続されている。チューナ１８はＦＭ放送などの放送音声を受信再生する装置である。制御部１０はマイコン等で構成されており、ＰＣ２４やｉＰｏｄ２６と通信する機能やセレクタ１４を切り換える機能を有するとともに、各種操作ガイド、設定ウィザード等のＯＳＤ等を表示する機能を有し、ＯＳＤを表示するときソース機器として機能する。
【００２１】
制御部１０は、リモコン５や操作・表示部１１から入力される切換操作等に応じてセレクタ１４を切り換え、ソース機器を選択する。
【００２２】
セレクタ１４には、オーディオ信号を含むビデオ信号、オーディオ信号のみ、または、映像のみのビデオ信号が入力される。セレクタ１４は、選択した機器のオーディオ信号をオーディオ信号処理部３０に出力し、選択した機器のビデオ信号をＨＤＭＩトランスミッタ３４に出力する。ＨＤＭＩトランスミッタ３４にはＴＶ３が、ＨＤＭＩケーブルを介して接続されている。
【００２３】
オーディオ信号は、オーディオ信号処理部３０で音質等が調整されたのち、Ｄ／Ａコンバータ３１でアナログ信号に変換される。このアナログ信号がオーディオアンプ３２で増幅され、スピーカ４に入力される。なお、オーディオーアンプ３２がディジタルアンプの場合、Ｄ／Ａコンバータ３１は、オーディオ信号をＰＣＭコードからＰＷＭ信号に変換する回路で構成される。
【００２４】
リモコン５は、ＡＶレシーバ１の電源のオン／オフや、ソース機器２を選択するボタンを有している。ユーザがボタンを操作すると、リモコン５は、その操作されたボタンに対応する赤外線のリモコン信号を発生する。ＡＶレシーバ１は、リモコン５が発生した赤外線信号を受信するリモコン信号受信部１２を備えている。リモコン信号受信部１２は、リモコン５が発生したリモコン信号を受信すると、そのコマンドコードを解析して制御部１０に入力する。制御部１０は、リモコン信号受信部１２から入力されたコマンドコードに基づき、例えばセレクタ１４を切り換えるなどのコマンドに対応する処理を実行する。
【００２５】
ここで、ＡＶレシーバ１におけるコンテンツの分類とユーザによる選択手順について説明する。このＡＶレシーバ１では、コンテンツを、それぞれユーザの視聴態様が異なる３種類のグループであるＬｉｓｔｅｎ，Ｗａｔｃｈ，Ｐｌａｙに分類している。Ｌｉｓｔｅｎは、耳で聴いて楽しむ視聴態様のコンテンツであり、オーディオコンテンツである。Ｗａｔｃｈは、眼で見て楽しむ視聴態様のコンテンツであり、ビデオコンテンツである。また、Ｐｌａｙは、耳で聴いたり眼で見たりするものであるがユーザの操作に応じて映像や音声が変化したり切り換わったりする視聴態様のコンテンツであり、たとえばゲームやフォトアルバム（画像）コンテンツである。これらＬｉｓｔｅｎ，Ｗａｔｃｈ，Ｐｌａｙの３つの視聴態様（コンテンツ種類）を、このＡＶレシーバ１ではアクティビティと呼んでいる。
【００２６】
図３は、アクティビティテーブルを示す図である。アクティビティテーブルは、各ソース機器２が再生可能なアクティビティを分類したテーブルであり、制御部１０に記憶されているものである。この図によれば、ケーブル放送や衛星放送のテレビ放送を受信するＳＴＢ２１が再生可能なアクティビティは、Ｗａｔｃｈのみである。また、ＤＶＤプレーヤ２２の再生可能アクティビティは、ＷａｔｃｈとＬｉｓｔｅｎである。すなわちＤＶＤで映画等のビデオコンテンツ（Ｗａｔｃｈ）を再生できるとともに、ＣＤの音楽コンテンツ（Ｌｉｓｔｅｎ）も再生可能だからである。またＶＣＲデッキ２３はＷａｔｃｈのみ、チューナ（Ｔｕｎｅｒ）１８はＬｉｓｔｅｎのみである。また、ＰＣ２４は、ハードディスク（ＨＤＤ）に動画、音楽、画像の全てのコンテンツを蓄積記憶することができるため、Ｌｉｓｔｅｎ，Ｗａｔｃｈ，Ｐｌａｙの全てが再生可能である。ＵＳＢメモリ２５は、音楽コンテンツ（Ｌｉｓｔｅｎ）、静止画（Ｐｌａｙ）が再生可能である。また、ｉＰｏｄは、音楽コンテンツ（Ｌｉｓｔｅｎ）と動画（Ｗａｔｃｈ）が再生可能である。
【００２７】
このアクティビティテーブルにおける各ソース機器に対するアクティビティの割り当ては、予め記憶されていてもよく、ソース機器が接続されるときにユーザによって設定されるものであってもよい。
【００２８】
ユーザは、コンテンツを再生するとき（再生するコンテンツを選択するとき）、まずアクティビティを選択する。ＡＶレシーバ１は、アクティビティテーブルを参照して、選択されたアクティビティを再生可能なソース機器を選択してＴＶ３に表示する。ユーザは、表示されたソース機器のなかから所望のソース機器を選択する。そうすると、ＡＶレシーバ１は、選択されたソース機器で再生可能な（記憶している）コンテンツのなかから、先に選択されたアクティビティのもののみを抽出して表示する。ユーザが、表示されたコンテンツのなかから所望のものを選択すれば、ＡＶレシーバ１はそのコンテンツを再生する（再生すべくソース機器を制御する）。
【００２９】
図４は、制御部１０のコンテンツ再生開始時の動作を示すフローチャートである。図５は、そのときのＴＶ３の画面表示例を示す図である。
【００３０】
ユーザによりコンテンツ選択の操作があると、まずセレクタ１４を制御部１０に切り換える（Ｓ１）。これは、以下の選択画面をＴＶ３に表示するためである。次に、図５（Ａ）に示すようなアクティビティ選択画面をＴＶ３に表示する（Ｓ２）。この表示に応じてユーザがアクティビティを選択する（Ｓ３）。アクティビティの選択操作が行われると、図３のアクティビティテーブルを参照して、選択されたアクティビティを再生可能なソース機器を抽出する（Ｓ４）。そして、抽出されたソース機器を選択する機器選択画面（図５（Ｂ）参照）を表示する（Ｓ５）。
【００３１】
この表示に応じてユーザがソース機器を選択する（Ｓ６）。ソース機器の選択操作が行われると、このソース機器にアクセスし、このソース機器が再生可能なコンテンツのうち、先に選択されているアクティビティに該当するものを抽出する（Ｓ７）。
【００３２】
この抽出処理は、たとえばＵＳＢメモリ２５等のストレージの場合には、ＡＶレシーバ１の制御部１０が周辺機器インタフェース１６を介してストレージにアクセスして記憶されているファイルを確認し、このなかから指定されたアクティビティに対応するコンテンツを抽出する動作である。また、ｉＰｏｄ２６のようにインテリジェントな装置の場合には、制御部１０が周辺機器インタフェース１６を介して、指定されたアクティビティに対応するコンテンツのリストを要求し、相手装置（ｉＰｏｄ２６）の制御から該当するコンテンツのリストを取得する動作となる。
【００３３】
そして、コンテンツ選択画面（図５（Ｃ）参照）を表示する（Ｓ８）。この表示に応じてユーザがコンテンツを選択すると（Ｓ９）、セレクタ１４を選択されたソース機器に切り換えて（Ｓ１１）、選択されたコンテンツの再生を開始する（Ｓ１２）。このコンテンツの再生開始は、ＡＶレシーバ１自身がそのコンテンツを再生する（たとえばＭＰＥＧ２ファイルを読み出してデコードする）場合のほか、ソース機器２に対してコンテンツの再生を開始するよう指示する動作を含む。  
なお、Ｓ９の選択操作でコンテンツを選択せず「戻る」操作をした場合（Ｓ１０）には、ソース機器選択画面の表示動作（Ｓ５）にもどる。
【００３４】
この実施形態では、ＡＶレシーバ１をＡＶコンテンツ再生装置としたが、ＡＶコンテンツ再生装置の具体的構成はＡＶレシーバに限定されない。
【符号の説明】
【００３５】
１  ＡＶレシーバ
２  ソース機器
３  ＴＶ
１０  制御部
１４  セレクタ
【図１】
2010278578.tif 000003
【図２】
2010278578.tif 000004
【図３】
2010278578.tif 000005
【図４】
2010278578.tif 000006
【図５】
2010278578.tif 000007